(57)【要約】【課題】本発明は、変位電流を最小化できるプラズマディスプレイ装置及びプラズマディスプレイパネルの駆動方法を提供する。【解決手段】本発明のプラズマディスプレイ装置は、複数のスキャン電極と、スキャン電極と交叉するように形成された複数のアドレス電極を含むプラズマディスプレイパネルと、複数のアドレス電極及び前記複数のスキャン電極を駆動させるための駆動部と、駆動部を制御して、各々１つ以上の前記アドレス電極を含む複数のアドレス電極群中、１つ以上のアドレス電極群でアドレス期間で供給されるデータパルスの電圧下降時間が５０ｎｓ（ナノ秒）以上、３００ｎｓ（ナノ秒）以下であるようにする駆動パルス制御部とを含むことを特徴とする。  このような本発明は、データパルスの下降時間を従来に比べて長くすることによりデータパルスの電位変化が緩やかになされて変位電流のピーク値が減少して、これによってＥＭＩ特性が向上し、プラズマディスプレイパネルの正常な動作が保障される。【選択図】 図４
2006018289.tif 000002
【特許請求の範囲】
【請求項１】
複数のスキャン電極と前記スキャン電極と交叉するように形成された複数のアドレス電極を含むプラズマディスプレイパネルと、
前記複数のアドレス電極及び前記複数のスキャン電極を駆動させるための駆動部と、
前記駆動部を制御して、各々１つ以上の前記アドレス電極を含む複数のアドレス電極群中、１つ以上のアドレス電極群でアドレス期間で供給されるデータパルスの電圧下降時間が５０ｎｓ（ナノ秒）以上、３００ｎｓ（ナノ秒）以下であるようにする駆動パルス制御部とを含むことを特徴とするプラズマディスプレイ装置。 
【請求項２】
前記データパルスの電圧下降時間は、前記データパルスの電圧がデータ電圧（Ｖｄ）から基準電圧まで下降する時間であることを特徴とする、請求項１記載のプラズマディスプレイ装置。 
【請求項３】
前記複数のアドレス電極群の個数は２つ以上、前記アドレス電極の総数以下であることを特徴とする、請求項１記載のプラズマディスプレイ装置。
【請求項４】
前記複数のアドレス電極群は各々同一な個数のアドレス電極を含むことを特徴とする、請求項１記載のプラズマディスプレイ装置。 
【請求項５】
前記駆動パルス制御部は、
同一なアドレス電極群に含まれた複数のアドレス電極に供給されるデータパルスの電圧下降時間は全て同一であるようにすることを特徴とする、請求項１記載のプラズマディスプレイ装置。 
【請求項６】
前記駆動パルス制御部は、
前記複数のアドレス電極群に供給される前記データパルスの電圧下降時間は３つ以上の相異する値を有するようにして、
前記複数のアドレス電極群に供給されるデータパルスの中、電圧下降時間が相異する２つのデータパルス間の電圧下降時間の差は全て同一であるようにすることを特徴とする、請求項１記載のプラズマディスプレイ装置。
【請求項７】
前記駆動パルス制御部は、
前記複数のアドレス電極群中、供給されるデータパルスの電圧下降時間が５０ｎｓ（ナノ秒）以上、３００ｎｓ（ナノ秒）以下であるアドレス電極群では、前記データパルスの電圧上昇時間と前記データパルスの電圧下降時間を互いに相異するようにすることを特徴とする、請求項１記載のプラズマディスプレイ装置。 
【請求項８】
前記駆動パルス制御部は、
前記複数のアドレス電極群中、供給されるデータパルスの電圧下降時間が５０ｎｓ（ナノ秒）以上、３００ｎｓ（ナノ秒）以下であるアドレス電極群では、前記データパルスの電圧上昇時間は、前記データパルスの電圧下降時間より更に短いようにすることを特徴とする、請求項７記載のプラズマディスプレイ装置。
【請求項９】
前記駆動パルス制御部は、
前記複数のアドレス電極群に供給される前記データパルスの維持時間は１μｓ（マイクロ秒）以上、３μｓ（マイクロ秒）以下であるようにすることを特徴とする、請求項１記載のプラズマディスプレイ装置。 
【請求項１０】
前記駆動パルス制御部は、前記複数のアドレス電極群に供給される前記データパルスの電圧下降時間と前記スキャン電極に供給されるスキャンパルスの電圧上昇時間は互いに相異するようにすることを特徴とする、請求項１記載のプラズマディスプレイ装置。
【請求項１１】
複数のスキャン電極と前記スキャン電極と交叉するように形成された複数のアドレス電極を含むプラズマディスプレイパネルの駆動方法において、
各々１つ以上の前記アドレス電極を含む複数のアドレス電極群中、１つ以上のアドレス電極群でアドレス期間で供給されるデータパルスの電圧下降時間は５０ｎｓ（ナノ秒）以上、３００ｎｓ（ナノ秒）以下であることを特徴とするプラズマディスプレイパネルの駆動方法。 
【請求項１２】
前記データパルスの電圧下降時間は、前記データパルスの電圧がデータ電圧（Ｖｄ）から基準電圧まで下降する時間であることを特徴とする、請求項１１記載のプラズマディスプレイパネルの駆動方法。 
【請求項１３】
前記複数のアドレス電極群の個数は２つ以上、前記アドレス電極の総数以下であることを特徴とする、請求項１１記載のプラズマディスプレイパネルの駆動方法。 
【請求項１４】
前記複数のアドレス電極群は、各々同一な個数のアドレス電極を含むことを特徴とする、請求項１１記載のプラズマディスプレイパネルの駆動方法。
【請求項１５】
同一なアドレス電極群に含まれた複数のアドレス電極に供給されるデータパルスの電圧下降時間は全て同一なことを特徴とする、請求項１１記載のプラズマディスプレイパネルの駆動方法。
【請求項１６】
前記複数のアドレス電極群に供給される前記データパルスの電圧下降時間は３つ以上の相異する値を有して、
前記複数のアドレス電極群に供給されるデータパルスの中、電圧下降時間が相異する２つのデータパルス間の電圧下降時間の差は全て同一であることを特徴とする、請求項１１記載のプラズマディスプレイパネルの駆動装置。 
【請求項１７】
前記複数のアドレス電極群中、供給されるデータパルスの電圧下降時間が５０ｎｓ（ナノ秒）以上、３００ｎｓ（ナノ秒）以下であるアドレス電極群では、前記データパルスの電圧上昇時間と前記データパルスの電圧下降時間は互いに相違することを特徴とする、請求項１１記載のプラズマディスプレイパネルの駆動方法。 
【請求項１８】
前記複数のアドレス電極群中、供給されるデータパルスの電圧下降時間が５０ｎｓ（ナノ秒）以上、３００ｎｓ（ナノ秒）以下であるアドレス電極群では、前記データパルスの電圧上昇時間は前記データパルスの電圧下降時間より更に短いことを特徴とする、請求項１７記載のプラズマディスプレイパネルの駆動方法。 
【請求項１９】
前記複数のアドレス電極群に供給される前記データパルスの維持時間は、１μｓ（マイクロ秒）以上、３μｓ（マイクロ秒）以下であることを特徴とする、請求項１１記載のプラズマディスプレイパネルの駆動方法。 
【請求項２０】
前記複数のアドレス電極群に供給される前記データパルスの電圧下降時間と前記スキャン電極に供給されるスキャンパルスの電圧上昇時間は互いに相違することを特徴とする、請求項１１記載のプラズマディスプレイパネルの駆動方法。 
【発明の詳細な説明】
【技術分野】
【０００１】
本発明は、プラズマディスプレイパネルに関し、より詳細には、アドレス電極（ｘ）とスキャン電極（Ｙ）を含むプラズマディスプレイ装置及びプラズマディスプレイパネルの駆動方法に関する。 
【背景技術】
【０００２】
一般的に、プラズマディスプレイパネル（Ｐｌａｓｍａ  Ｄｉｓｐｌａｙ  Ｐａｎｅｌ）は Ｈｅ−Ｘｅ、または、Ｎｅ+Ｘｅ不活性混合ガスの放電時に発生する１４７ｎｍの紫外線により蛍光体を発光させることにより、文字、または、グラフィックを含んだ画像を表示することになる。 
【０００３】
図１は、一般的なプラズマディスプレイパネルの構造を示す斜視図である。 
【０００４】
図１に示すように、プラズマディスプレイパネルは上部基板１０上に形成されたスキャン電極（Ｙ、１２Ａ）及びサステイン電極（Ｚ、１２Ｂ）と、下部基板１８上に形成されたアドレス電極（Ｘ、２０）とを備える。 
【０００５】
スキャン電極（Ｙ、１２Ａ）とサステイン電極（Ｚ、１２Ｂ）の各々は、透明電極及びバス電極を含む。透明電極はインジウムチンオキサイド（Ｉｎｄｉｕｍ−Ｔｉｎ−Ｏｘｉｄｅ：ＩＴＯ）で形成される。バス電極は抵抗を減らすための金属で形成される。 
【０００６】
スキャン電極１２Ａとサステイン電極１２Ｂが形成された上部基板１０には上部誘電体層１４と保護膜１６が積層される。 
【０００７】
上部誘電体層１４にはプラズマ放電時に発生した壁電荷が蓄積される。保護膜１６はプラズマ放電時に発生したスパッタリングによる上部誘電体層１４の損傷を防止すると共に、２次電子の放出効率を上げることになる。保護膜１６は、通常、酸化マグネシウム（ＭｇＯ）で形成される。 
【０００８】
一方、Ｘ電極２０が形成された下部基板１８上には下部誘電体層２２、隔壁２４が形成される。下部誘電体層２２と隔壁２４の表面には蛍光体層２６が塗布される。 
【０００９】
アドレス電極２０は、スキャン電極１２Ａ及びサステイン電極１２Ｂと交叉する方向に形成される。隔壁２４は、スキャン電極２０と並んで形成されて放電により生成した紫外線及び可視光が隣接した放電セルに漏洩することを防止する。 
【００１０】
蛍光体層２６はプラズマ放電時に発生した紫外線により励起され、赤色、緑色または青色の中、いずれかの１つの可視光線を発生することになる。上／下部基板１０、１８と隔壁２４との間に設けられた放電セルの放電空間には放電のためのＨｅ−Ｘｅ、または、Ｎｅ+Ｘｅなどの不活性混合ガスが注入される。 
【００１１】
このような構造のプラズマディスプレイパネルに所定の駆動装置が結合してプラズマディスプレイ装置をなす。 
【００１２】
図２は、一般的なプラズマディスプレイパネルの駆動装置の簡略な回路図である。 
【００１３】
図２に示すように、スキャン過程で最初のスキャン電極（Ｙ１）に該当するチャネルが選択されると、残りのスキャン電極（Ｙ２、Ｙ３、……、Ｙｎ）に該当するチャネルは選択されない。 
【００１４】
このようにチャネルが選択されると、選択されたチャネルに該当する最初のスキャンドライバ２１０-１の第２スイッチング素子２１３-１がターンオンされて、スキャン用スイッチング素子２２０がターンオンされる。
【００１５】
これと共に、選択されていないチャネルに該当するスキャンドライバ２１０-２ないし２１０-ｎの第１スイッチング素子２１１-２ないし２１１-ｎとグラウンド用スイッチング素子２３０がターンオンされる。 
【００１６】
このように、スイッチング素子が動作して、データドライバＩＣ３００の第１データスイッチング素子３１０-１ないし３１０-ｍ、または、第２データスイッチング素子３２０-１ないし３２０-ｍの動作によりアドレス電極Ｘ１ないしＸｍにデータ電圧（＋Ｖｄ、または、０Ｖ）が印加されると、最初のラインに位置するセルに書込み動作がなされる。
【００１７】
また、データパルスは、残りのスキャン電極Ｙ２ないしＹｎに該当するスキャンドライバ２１０-２ないし２１０-ｎの第１スイッチング素子２１１-２ないし２１１-ｎとグラウンド用スイッチング素子２３０を経てグラウンドされる。 
【００１８】
このような過程が全てのスキャン電極でなされると、スキャン過程が終わる。 
【００１９】
スキャン過程以後に、第１サステイン用スイッチング素子２４０、スキャンドライバ２１０-１ないし２１０-ｎの第２スイッチング素子２１３-２ないし２１３-ｎ及びグラウンド用スイッチング素子２６０がターンオンする。 
【００２０】
これによって、第１サステイン電圧（＋Ｖｓｙ）、第１サステイン用スイッチング素子２４０、スキャンドライバ２１０-１ないし２１０-ｎの第２スイッチング素子２１３-２ないし２１３-ｎ、各スキャン電極（Ｙ１ないしＹｎ）、サステイン電極（Ｚ１ないしＺｎ）及びグラウンド用スイッチング素子２６０がループ（ｌｏｏｐ）を形成し、スキャン電極（Ｙ１ないしＹｎ）にサステイン電圧（＋Ｖｓｙ）が印加される。 
【００２１】
次に、第２サステイン用スイッチング素子２４０、スキャンドライバ２１０-１ないし２１０-ｎの第１スイッチング素子２１１-２ないし２１１-ｎ及びグラウンド用スイッチング素子２３０がターンオンする。 
【００２２】
これによって、第２サステイン電圧（＋Ｖｓｚ）、サステイン電極（Ｚ１ないしＺｎ）、スキャン電極（Ｙ１ないしＹｎ）、スキャンドライバ２１０-１ないし２１０-ｎの第１スイッチング素子２１１-２ないし２１１-ｎ及びグラウンド用スイッチング素子２３０がループを形成し、サステイン電極Ｚ１ないしＺｎにサステイン電圧（＋Ｖｓｚ）が印加される。 
【００２３】
このようなプラズマディスプレイパネルの駆動装置はスキャン期間にスキャンドライバ２１０-１ないし２１０-ｎとデータドライバＩＣ３００-１ないし３００-ｍに含まれたスイッチング素子のスイッチング動作を通じて該電極にスキャン電圧ー（−Ｖｙｓｃａｎ）とデータ電圧（＋Ｖｄ、または、０Ｖ）を印加するが、この過程でアドレス電極を通じてデータドライバＩＣ３００-１ないしは３００-ｍに変位電流（ＩＤ）が流れる。 
【００２４】
一般的なプラズマディスプレイパネルは、３電極構造を有しているので、図２でのように、各アドレス電極間に第１等価キャパシタ（Ｃｍ１）とアドレス電極とスキャン電極、または、サステイン電極間に第２等価キャパシタ（Ｃｍ２）が存在する。 
【００２５】
従って、スキャン過程でスキャンドライバ２１０-１ないし２１０-ｎとデータドライバＩＣ３００-１ないし３００-ｍに含まれたスイッチング素子の動作によって電極に印加される電圧の状態が変わることになるので、第１等価キャパシタ（Ｃｍ１）と第２等価キャパシタ（Ｃｍ２）により発生した変位電流（Ｉｄ）がＸ電極を通じてデータドライバＩＣ３００-１ないし３００-ｍに流れることになる。 
【００２６】
このようなデータドライバＩＣ３００-１ないし３００-ｍに流れる変位電流の大きさは次の数式１の通りである。 
（数式１）
【００２７】
ｉｄ＝Ｃ×（ｄｖ／ｄｔ）×ｆ
ｉｄは１つのアドレス電極に流れる変位電流の大きさ、Ｃはアドレス電極間とアドレス電極とスキャン電極、または、アドレス電極とサステイン電極との間のキャパシタンス、ｄｖ／ｄｔは１つのアドレス電極での時間に対する電圧の変化率で、ｆは１つのアドレス電極の電圧変化回数を意味する。
【００２８】
図３は、従来のスキャン過程でアドレス電極とスキャン電極に印加されるデータパルスとスキャンパルスの波形図である。 
【００２９】
図３に示すように、プラズマディスプレイパネルのスキャン過程は、各々のスキャン電極に１つのスキャンパルスが印加されると共に、全体のアドレス電極に該データパルスが印加される。これによって、スキャン電極に印加されるスキャンパルスとアドレス電極に印加されるデータパルスとの間の電圧差によりアドレス放電が発生することになる。 
【００３０】
一方、このような従来のデータパルスとスキャンパルスの下降区間（Ｔｆ１、Ｔｆ２）は、同期化して同一な下降時間（ｆａｌｌｉｎｇ  ｔｉｍｅ）を有する。 
【００３１】
このように、データパルスの下降区間（Ｔｆ１）がスキャンパルスの下降区間（Ｔｆ２）と同一になってデータパルスの電位が下降区間（Ｔｆ１）で急に変わることになる。      
【００３２】
このように、データパルスの電位が下降区間Ｔｆ１で急に変わることによって数式１のｄｖ／ｄｔも大きくなるので、変位電流のピーク（ｐｅａｋ）電流が大きくなることにつれてＥＭＩ（Ｅｌｅｃｔｒｏ  Ｍａｇｎｅｔｉｃ  Ｉｎｔｅｒｆｅｒｅｎｃｅ）特性が悪くなるので、プラズマディスプレイパネルの駆動装置に深刻な影響を及ぼす。 
【発明の開示】
【発明が解決しようとする課題】
【００３３】
本発明は、変位電流を最小化できるプラズマディスプレイ装置及びプラズマディスプレイパネルの駆動方法を提供することをその目的とする。
【課題を解決するための手段】
【００３４】
本発明の一実施の形態に係るプラズマディスプレイ装置は、複数のスキャン電極と、スキャン電極と交叉するように形成された複数のアドレス電極を含むプラズマディスプレイパネルと、前記複数のアドレス電極及び複数のスキャン電極を駆動させるための駆動部と、前記駆動部を制御して、各々１つ以上の前記アドレス電極を含む複数のアドレス電極群中、１つ以上のアドレス電極群でアドレス期間で供給されるデータパルスの電圧下降時間が５０ｎｓ（ナノ秒）以上、３００ｎｓ（ナノ秒）以下であるようにする駆動パルス制御部とを含むことを特徴とする。 
【００３５】
前述のデータパルスの電圧下降時間はデータパルスの電圧がデータ電圧（Ｖｄ）から基準電圧まで下降する時間であることを特徴とする。 
【００３６】
また、複数のアドレス電極群の個数は２つ以上、アドレス電極の総数以下であることを特徴とする。
【００３７】
また、複数のアドレス電極群は各々同一な個数のアドレス電極を含むことを特徴とする。 
【００３８】
また、駆動パルス制御部は、同一なアドレス電極群に含まれた複数のアドレス電極に供給されるデータパルスの電圧下降時間は全て同一であるようにすることを特徴とする。
【００３９】
また、駆動パルス制御部は、複数のアドレス電極群に供給されるデータパルスの電圧下降時間は３つ以上の相異する値を有するようにして、複数のアドレス電極群に供給されるデータパルスの中、電圧下降時間が相異する２つのデータパルス間の電圧下降時間の差は全て同一であるようにすることを特徴とする。
【００４０】
また、駆動パルス制御部は、複数のアドレス電極群中、供給されるデータパルスの電圧下降時間が５０ｎｓ（ナノ秒）以上、３００ｎｓ（ナノ秒）以下であるアドレス電極群では、データパルスの電圧上昇時間とデータパルスの電圧下降時間を互いに相異するようにすることを特徴とする。
【００４１】
また、駆動パルス制御部は、複数のアドレス電極群中、供給されるデータパルスの電圧下降時間が５０ｎｓ（ナノ秒）以上、３００ｎｓ（ナノ秒）以下であるアドレス電極群では、データパルスの電圧上昇時間はデータパルスの電圧下降時間より短いようにすることを特徴とする。
【００４２】
また、駆動パルス制御部は、複数のアドレス電極群に供給されるデータパルスの維持時間は１μｓ（マイクロ秒）以上、３μｓ（マイクロ秒）以下であるようにすることを特徴とする。
【００４３】
また、駆動パルス制御部は、複数のアドレス電極群に供給されるデータパルスの電圧下降時間とスキャン電極に供給されるスキャンパルスの電圧上昇時間は互いに相異するようにすることを特徴とする。
【００４４】
また、本発明の一実施の形態に係るプラズマディスプレイパネルの駆動方法は、複数のスキャン電極と、スキャン電極と交叉するように形成された複数のアドレス電極を含むプラズマディスプレイパネルの駆動方法において、各々１つ以上の前記アドレス電極を含む複数のアドレス電極群中、１つ以上のアドレス電極群でアドレス期間で供給されるデータパルスの電圧下降時間は５０ｎｓ（ナノ秒）以上、３００ｎｓ（ナノ秒）以下であることを特徴とする。
【００４５】
また、データパルスの電圧下降時間はデータパルスの電圧がデータ電圧（Ｖｄ）から基準電圧まで下降する時間であることを特徴とする。
【００４６】
また、複数のアドレス電極群の個数は２つ以上、アドレス電極の総数以下であることを特徴とする。
【００４７】
また、複数のアドレス電極群は、各々同一な個数のアドレス電極を含むことを特徴とする。
【００４８】
また、同一なアドレス電極群に含まれた複数のアドレス電極に供給されるデータパルスの電圧下降時間は全て同一なことを特徴とする。
【００４９】
また、複数のアドレス電極群に供給されるデータパルスの電圧下降時間は３つ以上の相異する値を有して、複数のアドレス電極群に供給されるデータパルスの中、電圧下降時間が相異する２つのデータパルス間の電圧下降時間の差は全て同一であることを特徴とする。
【００５０】
また、複数のアドレス電極群中、供給されるデータパルスの電圧下降時間が５０ｎｓ（ナノ秒）以上、３００ｎｓ（ナノ秒）以下であるアドレス電極群では、前記データパルスの電圧上昇時間と前記データパルスの電圧下降時間は互いに異なることを特徴とする。
【００５１】
また、複数のアドレス電極群中、供給されるデータパルスの電圧下降時間が５０ｎｓ（ナノ秒）以上、３００ｎｓ（ナノ秒）以下であるアドレス電極群では、データパルスの電圧上昇時間は、データパルスの電圧下降時間より更に短いことを特徴とする。
【００５２】
また、複数のアドレス電極群に供給されるデータパルスの維持時間は１μｓ（マイクロ秒）以上、３μｓ（マイクロ秒）以下であることを特徴とする。
【００５３】
また、複数のアドレス電極群に供給される前記データパルスの電圧下降時間とスキャン電極に供給されるスキャンパルスの電圧上昇時間は互いに異なることを特徴とする。
【発明の効果】
【００５４】
このように、本発明のプラズマディスプレイパネルの駆動方法で供給されるデータパルスの電圧下降時間を５０ｎｓ（ナノ秒）以上、３００ｎｓ（ナノ秒）以下にすることにより、データパルスの電位が従来に比べて緩やかに変わるので、前述の数式１からのｄｖ／ｄｔの大きさが小さくなって変位電流のピーク値も小さくなる。これによって、ＥＭＩ特性が向上してプラズマディスプレイパネルの駆動装置の正常な動作が保障される。 
【発明を実施するための最良の形態】
【００５５】
以下、添付の図面を参照しながら本発明のプラズマディスプレイ装置及びプラズマディスプレイパネルの駆動方法を詳細に説明する。 
【００５６】
図４は、本発明のプラズマディスプレイ装置の構造を説明するための図面である。 
【００５７】
図４に示すように、本発明のプラズマディスプレイ装置はスキャン電極（Ｙ）及びサステイン電極（Ｚ）と、前記スキャン電極（Ｙ）及びサステイン電極（Ｚ）と交叉する複数のアドレス電極（Ｘ１ないしＸｍ）を含み、リセット期間、アドレス期間及びサステイン期間にアドレス電極（Ｘ１ないしＸｍ）、スキャン電極（Ｙ）及びサステイン電極（Ｚ）に駆動パルスが印加される少なくとも１つ以上のサブフィールドの組合によりフレームでなされる画像を表現するプラズマディスプレイパネル４００と、プラズマディスプレイパネル４００に形成されたアドレス電極（Ｘ１ないしＸｍ）にデータを供給するためのデータ駆動部４０２と、スキャン電極（Ｙ１ないしＹｎ）を駆動するためのスキャン駆動部４０３と、共通電極であるサステイン電極（Ｚ）を駆動するためのサステイン駆動部４０４と、プラズマディスプレイパネル４００駆動の際、スキャン駆動部４０４とデータ駆動部４０２を制御するための駆動パルス制御部４０１と、各々の駆動部４０２、４０３、４０４に必要な駆動電圧を供給するための駆動電圧発生部４０５を含む。 
【００５８】
ここで、前述のプラズマディスプレイパネル４００は前面パネル（図示していない）と背面パネル（図示していない）が一定の間隔を置いて合着して、多数の電極、例えば、スキャン電極（Ｙ）及びサステイン電極（Ｚ）が対をなして形成されて、また、スキャン電極（Ｙ）及びサステイン電極（Ｚ）と交叉するようにアドレス電極（Ｘ１ないしＸｍ）が形成される。 
【００５９】
データ駆動部４０２には図示しない逆ガンマ補正回路、誤差拡散回路などにより逆ガンマ補正及び誤差拡散された後、サブフィールドマッピング回路により各サブフィールドにマッピングされたデータが供給される。 このようなデータ駆動部４０２は駆動パルス制御部４０１の制御により供給されたデータをデータパルスとしてアドレス電極（Ｘ１ないしＸｍ）に供給することになる。 
【００６０】
スキャン駆動部４０３はリセット期間の間、リセットパルス、例えば、上昇ランプ波形（Ｒａｍｐ−ｕｐ）と下降ランプ波形（Ｒａｍｐ−ｄｏｗｎ）を含むリセットパルスをスキャン電極（Ｙ１ないしＹｎ）に供給する。また、スキャン駆動部４０３は駆動パルス制御部４０１の制御下にアドレス期間の間、スキャン電圧（−Ｖｙ）のスキャンパルス（Ｓｐ）をスキャン電極（Ｙ１ないしＹｎ）に順次に供給して、サステイン期間の間にはサステインパルス（ＳＵＳ）をスキャン電極（Ｙ１ないしＹｎ）に供給する。 
【００６１】
サステイン駆動部４０４は、下降ランプ波形（Ｒａｍｐ−ｄｏｗｎ）が発生する期間、または、アドレス期間中、１つ以上の期間の間、正極性のバイアス電圧（Ｖｚ）をサステイン電極（Ｚ）に供給して、サステイン期間の間、スキャン駆動部４０３と交互に動作してサステインパルス（ＳＵＳ）をサステイン電極（Ｚ）に供給することになる。 
【００６２】
駆動パルス制御部４０１は、リセット期間、アドレス期間、サステイン期間においてデータ駆動部４０２とスキャン駆動部４０３の動作タイミングと同期化を制御するための所定の制御信号を発生して、その制御信号を各々データ駆動部４０２及びスキャン駆動部４０３に供給することにより、データ駆動部４０２及びスキャン駆動部４０３を制御する。特に、駆動パルス制御部４０１はフレームの複数のサブフィールドにおいて前述したスキャン駆動部４０３とデータ駆動部４０２を制御し、各々１つ以上のアドレス電極を含む複数のアドレス電極群中、１つ以上のアドレス電極群にアドレス期間で供給されるデータパルスの電圧下降時間が５０ｎｓ（ナノ秒）以上、３００ｎｓ（ナノ秒）以下であるようにする。ここで、前述したデータパルスの電圧下降時間はデータパルスの電圧がデータ電圧（Ｖｄ）から基準電圧まで下降する時間である。 
【００６３】
また、このような駆動パルス制御部４０１は複数のアドレス電極群に供給されるデータパルスの電圧下降時間とスキャン電極に供給されるスキャンパルスの電圧上昇時間は互いに異なるようにすることがより好ましい。
【００６４】
駆動電圧発生部４０５はセットアップ電圧（Ｖｓｅｔｕｐ）、スキャン基準電圧（Ｖｓｃ）、負極性スキャン電圧（-Ｖｙ）、サステイン電圧（Ｖｓ）、 データ電圧（Ｖｄ）などを発生する。このような駆動電圧は放電ガスの造成や放電セル構造によって変わることができる。 
【００６５】
このような本発明のプラズマディスプレイ装置により駆動される駆動方法を考察する前に、本発明のプラズマディスプレイパネルの駆動方法の理解を助けるために、アドレス電極群に対してまず図５ａないし図５ｂを参照しながら説明すると次の通りである。 
【００６６】
図５ａないし図５ｂは、複数のアドレス電極を各々１つ以上のアドレス電極を含む複数のアドレス電極群に分ける方法の一例を説明するための図面である。 
【００６７】
まず、図５ａを考察すると、図５ａには本発明に係るプラズマディスプレイパネルの駆動方法を説明するためにプラズマディスプレイパネルに形成されたアドレス電極（Ｘ１〜Ｘｍ）を４個のアドレス電極群に分けた場合が図示されている。 
【００６８】
即ち、プラズマディスプレイパネル５００のアドレス電極（Ｘ１〜Ｘｍ）を、例えば、Ｘａ電極群（Ｘａ１〜Ｘａ（ｍ）／４）５０１、Ｘｂ電極群（Ｘｂ（ｍ+１）／４）〜Ｘｂ（２ｍ）／４）５０２、Ｘｃ電極群（Ｘｃ（２ｍ+１）／４〜Ｘｃ（３ｍ）／４）５０３及びＸｄ電極群（Ｘｄ（３ｍ+１）／４〜Ｘｄｍ）５０４に区分する。ここで、前述のアドレス電極群の個数は最小２個以上から最大アドレス電極の総数より小さな範囲、即ち、アドレス電極の総数をｍ個とすると、２≦Ｎ≦（ｍ-１）個の間で設定されることができる。 
【００６９】
一方、ここで、図５ａでは各アドレス電極群５０１、５０２、５０３、５０４に含まれたアドレス電極（Ｘ）の個数を同一にしたが、各アドレス電極群５０１、５０２、５０３、５０４に含まれるアドレス電極（Ｘ）の個数を互いに相異するように設定することも可能である。そして、アドレス電極群の個数も調節可能である。このように、アドレス電極群を区分する一例を考察すると、図５ｂの通りである。 
【００７０】
図５ｂに示すように、プラズマディスプレイパネル５１０のアドレス電極（Ｘ）の総数が１００であると仮定する際、このようなアドレス電極（Ｘ１〜Ｘ１００）を、例えば、Ｘａアドレス電極群（Ｘ１〜Ｘ１０）５１１、Ｘｂアドレス電極群（Ｘ１１〜Ｘ１５）５１２、Ｘｃアドレス電極群（Ｘ１６）５１３、Ｘｄアドレス電極群（Ｘ１７〜Ｘ６０）５１４及びＸｅドレス電極群（Ｘ６１〜Ｘ１００）５１５に区分する。ここで、前述のように、各々のアドレス電極群は相異する個数のアドレス電極（Ｘ）を含む。 
【００７１】
ここで、前述のＸｃアドレス電極群５１３は、１つのアドレス電極、即ち、Ｘ１６アドレス電極１つだけを含むアドレス電極群であって、他のアドレス電極群とは異なり、１つのアドレス電極（Ｘ）が１つのアドレス電極群をなす場合である。 
【００７２】
ここでは、各々のアドレス電極群が全て相異する個数のアドレス電極を含むが、これとは異なり、複数のアドレス電極群中から選択された所定個数のアドレス電極群でのみ他のアドレス電極群と相異する個数のアドレス電極を含むことができるものである。例えば、プラズマディスプレイパネル上の複数のアドレス電極がＸａアドレス電極群、Ｘｂアドレス電極群、Ｘｃアドレス電極群、Ｘｄアドレス電極群、Ｘｅアドレス電極群及びＸｆアドレス電極群に分かれる場合に、Ｘａアドレス電極群が総１０個のアドレス電極を含み、また、Ｘｂアドレス電極群が又別の１０個のアドレス電極を含み、以後のＸｃアドレス電極群、Ｘｄアドレス電極群、Ｘｅアドレス電極群、Ｘｆアドレス電極群は、各々２０個ずつのアドレス電極を含むものである。 
【００７３】
このように分かれた複数のアドレス電極群中で、複数個のアドレス電極（Ｘ）を含むアドレス電極群では含まれたアドレス電極（Ｘ）に印加されるデータパルスの電圧下降時間が全て同一であることが好ましい。即ち、複数個のアドレス電極群中、複数個のアドレス電極（Ｘ）を含むアドレス電極群内では、複数個のアドレス電極（Ｘ）に印加されるデータパルスの電圧下降時間は同一であるのである。このようなデータパルスの電圧下降時間に対しては、以後の本発明のプラズマディスプレイパネルの駆動方法の説明を通じてより明確にする。 
【００７４】
図５ａないし図５ｂのように、複数のアドレス電極（Ｘ）をアドレス電極群に分けた状態で、本発明のプラズマディスプレイパネルの駆動方法は１つ以上のアドレス電極（Ｘ）を含む複数のアドレス電極群中、１つ以上のアドレス電極群にアドレス期間で供給されるデータパルスの電圧下降時間を５０ｎｓ（ナノ秒）以上、３００ｎｓ（ナノ秒）以下にするものである。このような本発明のプラズマディスプレイパネルの駆動方法を図６を参照して考察すると次の通りである。 
【００７５】
図６は、本発明のプラズマディスプレイパネルの駆動方法を説明するための図面である。 
【００７６】
図６を考察すると、各々１つ以上の前記アドレス電極を含む複数のアドレス電極群中、１つ以上のアドレス電極群にアドレス期間で供給されるデータパルスの電圧下降時間は５０ｎｓ（ナノ秒）以上、３００ｎｓ（ナノ秒）以下である。 
【００７７】
即ち、図５ａないし図５ｂのように、複数のアドレス電極を複数個のアドレス電極群に分ける場合に、Ｘａ電極群のアドレス電極（Ｘａ１〜Ｘａ（ｍ／４））に供給されるデータパルスの電圧下降時間（Ｔｆ１'）が５０ｎｓ（ナノ秒）以上、３００ｎｓ（ナノ秒）以下である。 
【００７８】
このようなデータパルスの電圧下降時間（Ｔｆ１'）はデータパルスの電圧がデータ電圧（Ｖｄ）から基準電圧、例えば、グラウンドレベル（ＧＮＤ）の電圧まで下降する時間である。 
【００７９】
ここで、同一なアドレス電極群に含まれた複数のアドレス電極に供給されるデータパルスの電圧下降時間は全て同一であることが好ましい。即ち、図６において、Ｘａ電極群に含まれたアドレス電極（Ｘａ１〜Ｘａ（ｍ／４））に供給されるデータパルスの電圧下降時間は５０ｎｓ（ナノ秒）以上、３００ｎｓ（ナノ秒）以下であるＴｆ１'と同一であることが好ましい。 
【００８０】
このように、データパルスの電圧下降時間を５０ｎｓ（ナノ秒）以上、３００ｎｓ（ナノ秒）以下に調節し、かつ、相異するアドレス電極群間には電圧下降時間が互いに異なるようにすることも可能であるが、これを図７を参照しながら考察すると次の通りである。      
【００８１】
図７は相異するアドレス電極群に供給されるデータパルス間の電圧下降時間間の差を説明するための図面である。 
【００８２】
図７を考察すると、複数のアドレス電極群に供給されるデータパルスの電圧下降時間は３個以上の相異する値を有する。例えば、図７のように、即ち、プラズマディスプレイパネルのアドレス電極とを総４個のアドレス電極群に分ける場合に、Ｘａ電極群（Ｘａ１ 〜 Ｘａ（ｍ）／４）に供給されるデータパルスは、ｔ２時点でデータ電圧（Ｖｄ）から下降し始めて、ｔ４時点で所定の基準電圧、例えば、グラウンドレベル（ＧＮＤ）の電圧まで到達する。即ち、データパルスの電圧下降時間が（t４-t２）である。 
【００８３】
そして、Ｘｂ電極群（Ｘｂ（ｍ+１）／４〜Ｘｂ（２ｍ）／４）に供給されるデータパルスは、ｔ２時点でデータ電圧（Ｖｄ）から下降し始めて、t３時点で所定の基準電圧、例えば、グラウンドレベル（ＧＮＤ）の電圧まで到達する。 即ち、データパルスの電圧下降時間が（t３-t２）である。 
【００８４】
そして、Ｘｃ電極群（Ｘｃ（２ｍ+１）／４〜Ｘｃ（３ｍ）／４）に供給されるデータパルスは、ｔ２時点でデータ電圧（Ｖｄ）から下降し始めて、ｔ５時点で所定の基準電圧、例えばグラウンドレベル（ＧＮＤ）の電圧まで到達する。即ち、データパルスの電圧下降時間が（ｔ５-ｔ２）である。 
【００８５】
また、Ｘｄ電極群（Ｘｄ（３ｍ+１）／４〜Ｘｄ（ｍ））に供給されるデータパルスはt２時点でデータ電圧（Ｖｄ）から下降し始めて、ｔ４時点で所定の基準電圧、例えばグラウンドレベル（ＧＮＤ）の電圧まで到達する。即ち、データパルスの電圧下降時間が（ｔ４-ｔ２）である。 
【００８６】
このように、１つのアドレス電極群に供給されるデータパルスの電圧下降時間が他のアドレス電極群と異なるのである。 
【００８７】
ここで、複数のアドレス電極群に供給されるデータパルスの中、電圧下降時間が相異する２つのデータパルス間の電圧下降時間の差は全て同一であることが好ましい。即ち、図７において、Ｘａ電極群に供給されるデータパルスの電圧下降時間（ｔ４-ｔ２）とＸｂ電極群に供給されるデータパルスの電圧下降時間（ｔ３-ｔ２）間の差（ｔ４-ｔ３）は、Ｘａ電極群に供給されるデータパルスの電圧下降時間（ｔ４-ｔ２）とＸｃ電極群に供給されるデータパルスの電圧下降時間（ｔ５-ｔ２）間の差（ｔ５-ｔ４）と同一である。即ち、（ｔ４-ｔ３）は（ｔ５-ｔ４）と同一である。 
【００８８】
このように、１つのアドレス電極群に供給されるデータパルスの電圧下降時間が他のアドレス電極群に供給されるデータパルスの電圧下降時間と異なる場合にも、１つ以上のアドレス電極群に供給されるデータパルスの電圧下降時間は５０ｎｓ（ナノ秒）以上、３００ｎｓ（ナノ秒）以下に設定される。 
【００８９】
また、このように供給されるデータパルスの電圧下降時間が５０ｎｓ（ナノ秒）以上、３００ｎｓ（ナノ秒）以下に設定されるアドレス電極群ではデータパルスの電圧上昇時間とデータパルスの電圧下降時間が互いに相違するように調節される。より好ましくは、供給されるデータパルスの電圧下降時間が５０ｎｓ（ナノ秒）以上、３００ｎｓ（ナノ秒）以下に設定されるアドレス電極群ではデータパルスの電圧上昇時間が電圧下降時間より短い。
【００９０】
このように、１つ以上のアドレス電極群に供給されるデータパルスの電圧下降時間が５０ｎｓ（ナノ秒）以上、３００ｎｓ（ナノ秒）以下に調節される場合に、スキャン電極に供給されるスキャンパルスの電圧上昇時間とデータパルスの電圧下降時間を異なりにすることも可能であるが、これを図８を参照して考察すると次の通りである。 
【００９１】
図８は、本発明のプラズマディスプレイパネルの駆動方法においてスキャンパルスとデータパルスとの間の関係を説明するための図面である。 
【００９２】
図８を考察すると、本発明のプラズマディスプレイパネルの駆動方法では複数のアドレス電極群に供給される前記データパルスの電圧下降時間と前記スキャン電極に供給されるスキャンパルスの電圧上昇時間は互いに異なる。即ち、図８のように、Ｘａ電極群に供給されるデータパルスのＴｆ１’は、このようなデータパルスと同期されてスキャン電極に供給されるスキャンパルスのＴｒ２’は互いに異なる長さを有する。 
【００９３】
ここで、複数のアドレス電極群に供給されるデータパルスの維持時間（Ｐｗ'）は１μｓ（マイクロ秒）以上、３μｓ（マイクロ秒）以下に調節されて充分なアドレス放電持続時間を提供することが好ましい。 
【図面の簡単な説明】
【００９４】
【図１】一般的なプラズマディスプレイパネルの構造を示す斜視図である。
【図２】一般的なプラズマディスプレイパネルの駆動装置の簡略な回路図である。
【図３】従来のスキャン過程でアドレス電極とスキャン電極に印加されるデータパルスとスキャンパルスの波形図である。
【図４】本発明のプラズマディスプレイ装置の構造を説明するための図面である。
【図５ａ】複数のアドレス電極を各々１つ以上のアドレス電極を含む複数のアドレス電極群に分ける方法の一例を説明するための図面である。
【図５ｂ】複数のアドレス電極を各々１つ以上のアドレス電極を含む複数のアドレス電極群に分ける方法の一例を説明するための図面である。
【図６】本発明のプラズマディスプレイパネルの駆動方法を説明するための図面である。
【図７】相異するアドレス電極群に供給されるデータパルス間の電圧下降時間間の差を説明するための図面である。
【図８】本発明のプラズマディスプレイパネルの駆動方法においてスキャンパルスとデータパルスとの間の関係を説明するための図である。
【符号の説明】
【００９５】
１０  上部基板
１４  上部誘電体層
１６  保護膜 
１８  下部基板
２０  Ｘ電極
２２  下部誘電体層
２４  隔壁
２６  蛍光体層
４００  プラズマディスプレイパネル
４０２  データ駆動部
４０３  スキャン駆動部
４０４  サステイン駆動部
４０１  駆動パルス制御部
４０５  駆動電圧発生部
【図１】
2006018289.tif 000003
【図２】
2006018289.tif 000004
【図３】
2006018289.tif 000005
【図４】
2006018289.tif 000006
【図５ａ】
2006018289.tif 000007
【図５ｂ】
2006018289.tif 000008
【図６】
2006018289.tif 000009
【図７】
2006018289.tif 000010
【図８】
2006018289.tif 000011